(57)【特許請求の範囲】
【請求項１】
上レールにハンガーを介して引戸を走行自在に吊持する上レール式引戸のハンガー構造であって、
引戸上部に固定された断面略Ｌ字形のハンガーブラケットと、
該ハンガーブラケットに合致する断面略Ｌ字形に形成され、一端の起立部がハンガーブラケットの起立部内側に軸支されて上方に揺動可能な揺動プレートと、ハンガーブラケットに一体に形成され、揺動プレートの自由端と当接して該揺動プレートの揺動範囲を規制する規制部と、
走行ローラが付設されて上レールに走行自在に組み込まれ、下部が該上レール下面より突出するハンガーベースと、
前記揺動プレート若しくはハンガーベースの何れか一方に水平に突設された係止ピン及び何れか他方に形成された該係止ピンが嵌入可能な嵌入孔からなり、揺動プレートとハンガーベースとを係脱自在になす係止手段と、
前記規制部に取着され、ねじ込み量を調整することにより先端に当接する揺動プレートを揺動させて引戸の取り付け高さを調整する調整ボルトと、
前記係止手段により係止させた状態の前記揺動プレートとハンガーベースを、前記ハンガーブラケットに締着する締着手段と
を備えることを特徴とする上レール式引戸のハンガー構造。
【請求項２】
前記係止ピンの基端部を先端部より小径に形成して、係止ピンを嵌入孔に嵌入したときに水平方向外力により、該係止ピンが嵌入孔から離脱しないようにしたことを特徴とする請求項１に記載の上レール式引戸のハンガー構造。
【発明の詳細な説明】
【０００１】
【発明の属する技術分野】
本発明は、上レール式引戸のハンガー構造に関するものである。
【０００２】
【従来の技術】
図５に示すように、上レールにハンガーを介して引戸を走行自在に吊持するようにした上レール式引戸のハンガー構造において、引戸の取付け高さを調整できるようにしたものがある。この構造では、当て板ａを挿通しロックナットｂを螺合した吊持用ボルトｃを、走行ローラが付設されて上レールｄに走行自在に組み込まれたハンガーベースｅの下面にねじ込み、該吊持用ボルトｃのねじ込み量により引戸ｆの取付高さを調整した後、引戸ｆの上面に取り付けたハンガーブラケットｈの係入切欠きｉに吊持用ボルトｃを、該ハンガーブラケットｈの下面に前記当て板ａが装入されるように係入して引戸ｆを吊持する。そして、ロックナットｂによりハンガーブラケットｈと当て板ａを締め付けて固定する。
【０００３】
【発明が解決しようとする課題】
しかしながら、上記のような手順で引戸ｆを上レールｄに吊持する場合は、工具を水平方向に操作してロックナットｂを締め付けるため、組み付けの作業性がよくない。また、ハンガーブラケットｈの上面に当て板ａが装入されてしまう誤組付けの虞れがある。さらに、吊持用ボルトｃを下げ過ぎると、該吊持用ボルトｃがハンガーベースｅから外れてしまう虞れがある。
本発明は上記した問題点を解決するためになされたもので、引戸を上レールに吊持する際の作業性に優れた上レール式引戸のハンガー構造を提供することを目的とするものである。
【０００４】
【課題を解決するための手段】
上記の目的を達成するための請求項１に記載の上レール式引戸のハンガー構造は、上レールにハンガーを介して引戸を走行自在に吊持する上レール式引戸のハンガー構造であって、引戸上部に固定された断面略Ｌ字形のハンガーブラケットと、該ハンガーブラケットに合致する断面略Ｌ字形に形成され、一端の起立部がハンガーブラケットの起立部内側に軸支されて上方に揺動可能な揺動プレートと、ハンガーブラケットに一体に形成され、揺動プレートの自由端と当接して該揺動プレートの揺動範囲を規制する規制部と、走行ローラが付設されて上レールに走行自在に組み込まれ、下部が該上レール下面より突出するハンガーベースと、前記揺動プレート若しくはハンガーベースの何れか一方に水平に突設された係止ピン及び何れか他方に形成された該係止ピンが嵌入可能な嵌入孔からなり、揺動プレートとハンガーベースとを係脱自在になす係止手段と、前記規制部に取着され、ねじ込み量を調整することにより先端に当接する揺動プレートを揺動させて引戸の取り付け高さを調整する調整ボルトと、前記係止手段により係止させた状態の前記揺動プレートとハンガーベースを、前記ハンガーブラケットに締着する締着手段とを備えることを特徴とする。
【０００５】
また、請求項２に記載の上レール式引戸のハンガー構造は、請求項１に記載の構成において、前記係止ピンの基端部を先端部より小径に形成して、係止ピンを嵌入孔に嵌入したときに水平方向外力により、該係止ピンが嵌入孔から離脱しないようにしたことを特徴とする。
【０００６】
【作用及び発明の効果】
請求項１に記載の上レール式引戸のハンガー構造によれば、揺動プレート若しくはハンガーベースの何れか一方に水平に突設された係止ピンを、該揺動プレート若しくはハンガーベースの何れか他方に形成された嵌入孔に嵌入して、揺動プレートとハンガベースを係止する。ハンガーブラケットの規制部に取着された調整ボルトのねじ込み量を調整して該調整ボルトの先端に当接する揺動プレートを揺動させて、引戸の取り付け高さを調整する。取り付け高さを調整した後、締着手段により揺動プレートとハンガーベースをハンガーブラケットに締着する。
【０００７】
上記のように係止ピンを嵌入孔に嵌入して揺動プレートとハンガーベースを係止するため、誤組付けの恐れがないとともに、揺動プレートとハンガーベースを前後方向からハンガーブラケットに締着することができるから、電動工具等の使用が可能となり、引戸を上レールに吊持する際の作業性に優れる。また、引戸の取付け高さ調整中に調整ボルトが外れてしまっても、揺動プレートの自由端がハンガーブラケットの規制部に当接してそれ以上の揺動が規制され、引戸の落下を阻止できるから、引戸を吊持させる際の作業の安全性を確保できる。
【０００８】
請求項２に記載の上レール式引戸のハンガー構造によれば、係止ピンの基端部を先端部より小径に形成して、係止ピンを嵌入孔に嵌入したときに水平方向外力により、該係止ピンが嵌入孔から離脱しないようにしたから、水平方向の外力が作用しても引戸がハンガーベースから外れ落ちることがなく、吊持作業時の安全性を確保できる。
【０００９】
【発明の実施の形態】
本発明の実施形態について添付図面を参照して説明する。走行自在に引戸を吊持するハンガーＨは、ハンガーブラケット１とハンガーベース３１とから構成されている。尚、ハンガーＨは、引戸の上端左右両側に２組設けられるが、同一構成のため、ここでは片側についてのみ説明する。図１はハンガーブラケット１の斜視図である。ハンガーブラケット１は、取付基板２と該取付基板２の一端から起立片３を直角に起立させて断面略Ｌ字形に形成されている。取付基板２にはボルト係入溝４，４が形成されている。起立片３の一端部には揺動中心軸５が挿嵌され、その略真横に長孔６が穿設されている。また、他端部には該起立片３の上端を水平に屈曲して取付基板２の上方に突出する規制片７が形成されている。該規制片７に形成されたねじ孔には、調整ボルト８がねじ込まれている。
【００１０】
上記揺動中心軸５には、ハンガーブラケット１の起立片３の内側で上方に揺動可能な揺動プレート１０が取り付けられている。揺動プレート１０は、一側に起立片１０ａを起立させて、ハンガーブラケット１に合致する断面略Ｌ字形に形成されている。該起立片１０ａの先端部には、係止ピン１１が水平に突設されている。揺動プレート１０は、上方へ揺動したとき自由端部１０ｂが調整ボルト８の下端に当接する。さらに、揺動プレート１０には、上記起立片３の長孔６に略合致する長孔１３が穿設されている。係止ピン１１には、基端部１１ａを先端部よりも小径にして抜け止め段部１１ｂが形成されている。
【００１１】
上記した構成のハンガーブラケット１は、ボルト係入溝４，４に取り付けボルト２３，２３を係入して、引戸２１の上端面２２に取り付けられる。一方、開口２４の側面壁２５にはリニアモータ２６が配設され、そのアウタレール２７の下端に形成された走行レール２８には、走行ローラＲを備えたハンガーベース３１が走行自在に組み込まれている。そのハンガーベース３１は、リニアモータ２６の可動子３０と連結されている。また、ハンガーベース３１は、下部が走行レール２８の下面より突出している。該ハンガーベース３１の走行レール２８の下面から突出する部分には、上記揺動プレート１０の係止ピン１１を嵌入する嵌入孔３２が穿設されている。嵌入孔３２は、係止ピン１１を容易に嵌入できる大きさに形成されている。また、ハンガーブラケット１の起立片３の長孔６及び揺動プレート１０の長孔１３と対応する位置に、締着ボルト３３をねじ込み可能なねじ孔３４が形成されている。
【００１２】
上記引戸２１を走行レール２８に吊持するには、ハンガーブラケット１に軸支された揺動プレート１０の係止ピン１１を、ハンガーベース３１の嵌入孔３２に嵌入して、揺動プレート１０とハンガーベース３１を係止させる。このとき、揺動プレート１０が上方へ揺動して、その自由端部１０ｂが規制片７の下面から突出する調整ボルト８の下端に当接し、該揺動プレート１０の揺動が規制される。
【００１３】
従って、調整ボルト８のねじ込み量により規制片７からの突出度を変化させ、揺動プレート１０の揺動量を調整して引戸２１の取付け高さを決定することができる。引戸２１の取付け高さを決定した後に、ハンガーブラケット１の起立片３の長孔６から、該長孔６に合致する揺動プレート１０の長孔１３に挿通した締着ボルト３３を、ハンガーベース３１のねじ孔３４に螺合して、揺動プレート１０とハンガーベース３１をハンガーブラケット１に締着する。
【００１４】
上記したように、揺動プレート１０の係止ピン１１をハンガーベース３１の嵌入孔３２に嵌入して揺動プレートとハンガーベースを係止するため、誤組付けの恐れがないとともに、調整ボルト８のねじ込み量により引戸２１の取り付け高さの調整を簡単に行うことができる。
【００１５】
また、揺動プレート１０とハンガーベース３１をハンガーブラケット１に締着する締着ボルト３３の頭部は、ハンガーブラケット１の起立片３の側部に位置するから、前後方向から電動工具等を使用して簡単に締着できる。さらに、引戸２１の高さ調整中に調整ボルト８が外れてしまっても、揺動プレート１０の自由端部１０ｂがハンガーブラケット１の規制片７に当接するから引戸２１の落下を阻止でき、引戸を吊持させる際の作業の安全性を確保できる。
【００１６】
係止ピン１１は、その基端部１１ａを先端部より小径に形成して、抜け止め段部１１ｂを設けたから、係止ピン１１を嵌入孔３２に嵌入したときに水平方向外力が作用すると、嵌入孔３２の孔縁が抜け止め段部１１ｂに係合して、該係止ピン１１が嵌入孔３２から離脱することがない。従って、引戸２１に水平方向の外力が作用してもハンガーベース３１から外れ落ちることがなく、吊持作業時の安全性を確保できる。
【００１７】
尚、係止ピン１１をハンガーベース３１に突設し、嵌入孔３２を揺動プレート１０に穿設してもよい。また、本実施形態では、ハンガーベース３１をリニアモータ２６の可動子３０と連結して、引戸２１をリニアモータ２６によって自動開閉させるようにしてあるが、手動式の引戸にも適用可能であることは言うまでもない。
【図面の簡単な説明】
【図１】ハンガーブラケットの斜視図である。
【図２】上レールに取付け前の引戸とハンガーの正面図である。
【図３】上レールに取り付けた後の引戸とハンガーの正面図である。
【図４】図３におけるＡ−Ａ線断面図である。
【図５】従来例を示した斜視図である。
【符号の説明】
１．．．ハンガーブラケット
２．．．取付基板
３．．．起立片
５．．．揺動中心軸
７．．．規制片（規制部）
８．．．調整ボルト
１０．．．揺動プレート
１０ａ．．．起立片
１０ｂ．．．自由端部
１１．．．係止ピン
１１ａ．．．基端部
１１ｂ．．．抜け止め段部
２１．．．引戸
２８．．．走行レール（上レール）
３１．．．ハンガーベース
３２．．．嵌入孔
３３．．．締着ボルト（締着手段）
３４．．．ねじ孔
Ｈ．．．ハンガー
Ｒ．．．走行ローラ
【図１】
0003567891.tif 000002
【図２】
0003567891.tif 000003
【図３】
0003567891.tif 000004
【図４】
0003567891.tif 000005
【図５】
0003567891.tif 000006